(57)【要約】  液晶セル（３）と、光源と、前記光源からの光を前記液晶セル（３）に導く導光板（１）からなる液晶表示装置において、前記導光板（１）の側壁に切り欠き（２）が形成されている。また、前記切り欠き（２）は前記導光板（１）の外側に向って下方に傾斜した傾斜面を有する。また、前記切り欠き（２）に反射部材（５）が挿入されている。また、前記切り欠き（２）に遮光部材が挿入されている。また、前記導光板（１）の切り欠きの上方において、前記導光板（１）の上面に接着部材（４）が配置され、前記導光板（１）と前記液晶セル（３）が接着されている。
2011033808.tif 000002
【特許請求の範囲】
【請求項１】
液晶セルと、光源と、前記光源からの光を前記液晶セルに導く導光板からなる液晶表示装置において、前記導光板の側壁に切り欠きが形成されていることを特徴とする液晶表示装置。
【請求項２】
前記切り欠きが前記導光板の外側に向って下方に傾斜した傾斜面を有することを特徴とする請求項１に記載の液晶表示装置。
【請求項３】
前記切り欠きに反射部材が挿入されていることを特徴とする請求項１または請求項２に記載の液晶表示装置。
【請求項４】
前記切り欠きに遮光部材が挿入されていることを特徴とする請求項１または請求項２に記載の液晶表示装置。
【請求項５】
前記導光板の切り欠きの上方において、前記導光板の上面に接着部材が配置され、前記導光板と前記液晶セルが接着されていることを特徴とする請求項１乃至請求項４に記載の液晶表示装置。
【発明の詳細な説明】
【技術分野】
【０００１】
本発明はバックライトを有する液晶表示装置に関する。
【背景技術】
【０００２】
薄型化を目的とした液晶表示装置の一例を図４に示す。液晶セル３は、対向電極やＲＧＢのカラーフィルタ等が配置されたＣＦ基板１２と、画素電極やスイッチングトランジスタ等が配置されたＴＦＴ基板１３を有し、ＣＦ基板１２とＴＦＴ基板１３との間には液晶層が形成されており、また、ＣＦ基板１２とＴＦＴ基板１３の外側には偏光板１１が配置されている。液晶セル３の下部には導光板１が配置されており、また、液晶セル３と導光板１の間には拡散シートやプリズムシート等の光学シート６が配置されている。さらに、導光板１の下部には反射シート５が配置されている。そして、液晶セル３と導光板１の端部は両面接着テープ等の接着部材４で接着されている。これらの部材がフレーム７に収納されて液晶表示装置が構成されている。このように、液晶セル３と導光板１が、直接、接着される構造となっているため、液晶セル３と導光板１が樹脂フレームに嵌め込まれて固定される従前の構造と比較して薄型化されている。【０００３】
液晶表示装置の表示面は、表示領域と非表示領域に区分けされ、非表示領域では液晶セル３と導光板１が両面接着テープなどの接着部材４により接着固定されており、さらに、液晶セル３の上部はフレーム７で覆われている。【０００４】
導光板１の図示しない端面にはＬＥＤ等の光源が配置されており、光源が放射する光線は導光板１の端面に入射され、導光板１の上下面で反射（矢印（ａ））を繰り返しながら伝播される。導光板１には輝度を均一にする散乱パターンが上面または下面に形成されており、散乱パターンに当たった光線は様々な方向に散乱し、表示領域では、その一部の光線が光学シート６に入射して鉛直方向に集光される。集光された光線は液晶セル３に入射（矢印（ｂ））し、液晶層と偏光板により光のＯＮ／ＯＦＦが制御されて様々な表示が行われる。【０００５】
特許文献１は、このような薄型化を図りながら、導光板の上面に形成した凹部に両面テープを配置して液晶セルを接着固定することにより、接着強度を高めた液晶表示装置を開示している。
【先行技術文献】
【特許文献】
【０００６】
【特許文献１】特開２００３−１５６７４０号公報
【発明の概要】
【発明が解決しようとする課題】
【０００７】
図４に示すように、従来技術の液晶表示装置において、光源が放射する光線の一部は、導光板１の上下面で反射を繰り返しながら導光板１の端部まで伝播されると、導光板１の側面で反射して非表示領域で斜め上方に進行する光線（以後、迷光（矢印（ｃ））と呼ぶ）が生じる。【０００８】
非表示領域では、導光板１と液晶セル３の間に光学シート６が配置されておらず、導光板１と液晶セル３が接着固定され密接しているため、導光板１から液晶セル３へ迷光が光漏れしやすく、また、非表示領域では、液晶セル３のＴＦＴ基板１３に液晶を制御する画素電極やスイッチングトランジスタ等が配置されていないため、液晶セル３に光漏れした迷光は液晶層で制御されることなく、矢印（ｄ）のように迷光がそのまま表示領域に漏れ出たり、矢印（ｅ）のように非表示領域のフレーム７で反射して表示領域の液晶セル３に戻されたりする。【０００９】
矢印（ｄ）や矢印（ｅ）のような液晶層で制御されない光漏れが、表示領域周辺のＣＦ基板１２に直接入射すると、光漏れはＲＧＢの各カラーフィルタを一様に透過するため、表示領域周辺だけが局所的に明るくなったり、白味がかった色合いに表示され、表示品位を低下させるという問題があった。【００１０】
導光板１と液晶セル３が密接する接着部材４が配置される部分の面積を小さくすれば、このような光漏れは多少低減されるが、導光板１と液晶セル３の接着強度が弱くなるという問題が生じる。【００１１】
また、導光板１と液晶セル３とを接着する接着部材４が配置される部分に遮光部材を追加すれば、導光板１から液晶セル３への光漏れは解消されるが、遮光部材の追加により液晶表示装置の薄型化が妨げられるという問題が生じる。【００１２】
本発明は、上記の問題に鑑みてなされたものであり、その目的は、表示領域の周辺部での光漏れを抑制することである。
【課題を解決するための手段】
【００１３】
本発明に係る液晶表示装置は、液晶セルと、光源と、前記光源からの光を前記液晶セルに導く導光板からなる液晶表示装置において、前記導光板の側壁に切り欠きが形成されていることを特徴とする。また、前記切り欠きは前記導光板の外側に向って下方に傾斜した傾斜面を有することを特徴とする。また、前記切り欠きに反射部材が挿入されていることを特徴とする。また、前記切り欠きに遮光部材が挿入されていることを特徴とする。また、前記導光板の切り欠きの上方において、前記導光板の上面に接着部材が配置され、前記導光板と前記液晶セルが接着されていることを特徴とする。
【発明の効果】
【００１４】
本発明に係る液晶表示装置は、導光板の端部からの光漏れが抑制され、表示品位が優れた薄型の液晶表示装置が実現できる。
【図面の簡単な説明】
【００１５】
【図１】本発明の第一の実施形態を示す液晶表示装置の端部断面図である。
【図２】本発明の第二の実施形態を示す液晶表示装置の端部断面図である。
【図３】本発明の第三の実施形態を示す液晶表示装置の端部断面図である。
【図４】従来の液晶表示装置の端部断面図である。
【発明を実施するための形態】
【００１６】
以下、本発明の実施の形態を図に基づいて説明する。
【実施例１】
【００１７】
本発明の第１の実施形態である液晶表示装置の端部断面図を図１に示す。液晶セル３は、対向電極やＲＧＢのカラーフィルタ等が配置されたＣＦ基板１２と、画素電極やスイッチングトランジスタ等が配置されたＴＦＴ基板１３を有し、ＣＦ基板１２とＴＦＴ基板１３との間には液晶層が形成されており、また、ＣＦ基板１２とＴＦＴ基板１３の外側には偏光板１１が配置されている。液晶セル３の下部には導光板１が配置されており、また、液晶セル３と導光板１の間には拡散シートやプリズムシート等の光学シート６が配置されている。さらに、導光板１の下部には反射シート５が配置されている。なお、非表示領域では、光学シート６が配置されておらず、導光板１の上面の端部に両面接着テープ等の接着部材４が配置され、液晶セル３が接着されている。これらの部材がフレーム７に収納されて液晶表示装置が構成されている。【００１８】
導光板１の図示しない端面にはＬＥＤ等の光源が配置されており、光源が放射する光線は導光板１の端面に入射され、導光板１の上下面で反射（矢印（ａ））を繰り返しながら伝播される。導光板１には輝度を均一にする散乱パターンが上面または下面に形成されており、散乱パターンに当たった光線は様々な方向に散乱し、表示領域では、その一部の光線が光学シート６に入射して鉛直方向に集光される。集光された光線は液晶セル３に入射（矢印（ｂ））し、液晶層と偏光板を透過することにより光のＯＮ／ＯＦＦが制御されて様々な表示が行われる。【００１９】
非表示領域では、導光板１上面の接着部材４が配置される部分を残し、導光板１の側壁の中ほどに切り欠き２が形成されている。この切り欠き２は導光板１を成型するときに同時に形成したり、導光板１を成型後に切削やレーザー加工により形成してもよい。【００２０】
異なった屈折率を持つ物質どうしが接触する境界面に光が入射すると、屈折率の差と入射角に依存して、入射光の一部が境界面を透過し、残りが反射されるフレネル反射や、入射光が境界面を透過せず、全て反射される全反射が生じる。本発明では上記の現象を利用しており、導光板１の側壁に切り欠き２を形成し、内部を空洞とすることにより、導光板１の側壁で反射された迷光（矢印（ｃ））を、導光板１と切り欠き２の空気層の界面で反射（矢印（ｇ））させることにより、迷光（矢印（ｆ））が液晶セル３の非表示領域へ透過する割合を減少させて、非表示領域へ光漏れすることを抑制している。【００２１】
特に、導光板１と液晶セル３が密接している接着部材４の配置部分から、迷光は液晶セル３に光漏れしやすいため、切り欠き２を接着部材４の配置部分と重なるように設けることにより、光漏れの抑制効果を高められる。【００２２】
また、切り欠き２の幅は、少なくとも光源の波長の数倍程度あれば、フレネル反射や全反射を生じさせ、迷光が切り欠き２を透過する割合を減少させることができる。【００２３】
本実施形態においては、導光板１の側壁に切り欠き２を設けることにより、迷光を導光板１と切り欠き２の空気層の界面でフレネル反射や全反射させることにより、迷光の非表示領域への光漏れを抑制し、光漏れによる表示領域周辺の表示品位の低下を防止することができる。【００２４】
また、切り欠き２を表示領域の境界まで形成し、接着部材４の配置部分と全体的に重なる位置に設けることにより、接着部材４の配置部分からの光漏れが抑制されるので、接着部材４の配置面積を広げて接着強度を高めることが可能となる。【００２５】
また、接着部材４の配置部分に光漏れを遮光する遮光部材を配置する必要がないので、液晶表示装置を薄型化することが可能である。
【実施例２】
【００２６】
本発明の第２の実施形態である液晶表示装置の端部断面図を図２に示す。本実施例では、実施例１の形態において導光板１の切り欠き２の形状が異なり、他の構成については実施例１と同様であるため説明を省略する。【００２７】
図２に示すように、本発明の液晶表示装置では、導光板１の側壁には、導光板１の外側に向って下方に傾斜した傾斜面を有する切り欠き２が形成され内部が空洞となっている。このような傾斜面を有する切り欠き２を設けることにより、導光板１の側壁で反射され液晶セル３の非表示領域へ漏れようとする迷光（矢印（ｃ））は、切り欠き２の傾斜面に浅い角度で入射されるので、導光板１と切り欠き２の空気層の界面で生じる全反射（矢印（ｇ））の割合が増大し、迷光が非表示領域へ漏れることはほとんどなくなる。【００２８】
また、反射した光線は傾斜面への入射角と等しい浅い角度で反射されるので、導光板１の内部で表示領域側にまで戻される。表示領域の下部まで到達した光線（矢印（ｇ））は、導光板１の上下面で反射しながら伝播してきた正規の光線と一緒に、光学シート６に入射して鉛直方向に集光され、液晶セル３を透過（矢印（ｂ）、矢印（ｈ））し、光のＯＮ／ＯＦＦが制御されて様々な表示が行われる。【００２９】
本実施例によれば、導光板１の側壁で発生する迷光が非表示領域の液晶セル３に光漏れすることを防止するとともに、今まで非表示領域側で表示に使用されなかった迷光を、切り欠き２の傾斜面で反射させ表示領域側に戻すことにより、表示領域の光量を増加させコントラストの優れた表示を行うことができる。【００３０】
なお、図２では切り欠きの上辺が導光板の上面と平行となっているくさび状の切り欠き２を示しているが、切り欠き２の下辺が導光板の外側に向って下方に傾斜した傾斜面となっていれば、切り欠きの上辺の形状は問わない。
【実施例３】
【００３１】
本発明の第３の実施形態である液晶表示装置の端部断面図を図３に示す。本実施例では、実施例１の形態において導光板１の切り欠き２の空洞に反射部材を配置する点が異なり、他の構成については実施例１と同様であるため説明を省略する。【００３２】
図３に示すように、本発明の液晶表示装置では、例えば、導光板１の下側に配置した反射シート５の端部を延長して、反射シート５の延長した部分が導光板１の側面に沿って折り曲げられて切り欠き２に挿入されている。また、切り欠き２の内部で、反射シート５は切り欠き２の上面と必ずしも接していなくてもよいが、切り欠き２の下面（光の反射面）と接するように配置されている。また、切り欠き２に配置する反射部材は、導光板１の下側に配置した反射シート５とは別体の反射部材を配置してもよく、切り欠き２に反射板などの反射部材を配置してもよい。【００３３】
本実施例によれば、迷光が反射部材で反射（矢印（ｇ））させられるため、接着部材４が配置される部分等に反射部材の厚みを増加させずに確実に光漏れを抑制し、表示品位の優れた薄型の表示装置を提供することができる。【００３４】
また、本実施例と同様に、実施例２の切り欠き２の空洞においても、傾斜面に沿って反射部材を配置してもよい。この場合も、迷光が傾斜面に配置された反射部材で反射させられるため、接着部材４が配置される部分等に反射部材の厚みを増加させずに確実に光漏れを抑制することができ、さらに、表示領域側に戻される光量を増加させてコントラストを高めることができ、表示品位の優れた薄型の表示装置を提供することができる。【００３５】
また、切り欠き２の空洞に反射部材を挿入する代わりに、カーボン・ブラックなどの遮光部材を挿入して光漏れを遮光してもよい。切り欠き２の空洞に遮光部材を挿入することにより、接着部材４が配置される部分等に遮光部材の厚みを増加させずに確実に光漏れを抑制することができ、表示品位の優れた薄型の表示装置を提供することができる。
【図１】
2011033808.tif 000003
【図２】
2011033808.tif 000004
【図３】
2011033808.tif 000005
【図４】
2011033808.tif 000006
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
液晶セルと、光源と、前記光源からの光を前記液晶セルに導く導光板とを含む液晶表示装置であって、
前記液晶セルの非表示領域において前記液晶セルと前記導光板とが接着されており、
前記液晶セルの非表示領域における前記導光板の側壁に、前記導光板を伝播する前記光を反射するための切り欠きが形成されていることを特徴とする液晶表示装置。
【請求項２】
前記切り欠きが前記導光板の外側に向って下方に傾斜した傾斜面を有することを特徴とする請求項１に記載の液晶表示装置。
【請求項３】
前記切り欠きに反射部材が前記切り欠きの下面と接するように挿入されていることを特徴とする請求項１または請求項２に記載の液晶表示装置。
【請求項４】
前記切り欠きに遮光部材が前記切り欠きの下面と接するように挿入されていることを特徴とする請求項１または請求項２に記載の液晶表示装置。
【請求項５】
前記導光板の切り欠きの上方において、前記導光板の上面に接着部材が配置され、前記導光板と前記液晶セルとが接着されていることを特徴とする請求項１乃至請求項４に記載の液晶表示装置。
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
液晶セルと、光源と、前記光源からの光を前記液晶セルに導く導光板とを含む液晶表示装置であって、
前記液晶セルの非表示領域において前記液晶セルと前記導光板とが接着されており、
前記液晶セルの非表示領域における前記導光板の側壁に、前記導光板を伝播する前記光を反射するための切り欠きが形成されており、
前記切り欠きに、反射部材または遮光部材が、前記切り欠きの下面と接するように挿入されていることを特徴とする液晶表示装置。
【請求項２】
前記切り欠きが前記導光板の外側に向って下方に傾斜した傾斜面を有することを特徴とする請求項１に記載の液晶表示装置。
【請求項３】
前記導光板の切り欠きの上方において、前記導光板の上面に接着部材が配置され、前記導光板と前記液晶セルとが接着されていることを特徴とする請求項１または２に記載の液晶表示装置。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
液晶セルと、光源と、前記光源からの光を前記液晶セルに導く導光板とを含む液晶表示装置であって、
前記液晶セルの非表示領域において前記液晶セルと前記導光板とが接着されており、
前記液晶セルの非表示領域における前記導光板の側壁に、前記導光板を伝播する前記光を反射するための切り欠きが形成されており、
前記切り欠きには光源が収納されておらず、
前記切り欠きに、反射部材または遮光部材が、前記切り欠きの下面と接するように挿入されていることを特徴とする液晶表示装置。
【請求項２】
前記切り欠きが前記導光板の外側に向って下方に傾斜した傾斜面を有することを特徴とする請求項１に記載の液晶表示装置。
【請求項３】
前記導光板の切り欠きの上方において、前記導光板の上面に接着部材が配置され、前記導光板と前記液晶セルとが接着されていることを特徴とする請求項１または２に記載の液晶表示装置。
【国際調査報告】
2011033808.tif 000007
2011033808.tif 000008